(57)【要約】【課題】構造が簡単でかつ低コストで、しかも誰でも簡単に使用可能な容器転倒防止具を提供する。【解決手段】内部空間が、１本の仕切り部材１２を介して、２つの容器収納スペースＳに仕切られた吊り枠１３と、容器収納スペースＳ内のポリタンク１１に、上方から跨ぐように引っ掛けられることで、吊り枠１３を容器結束位置ａに吊下させる吊下部材１４とを備えたので、容器転倒防止具１０が装着される各ポリタンク１１の安定性が高まり、車両運搬中のこれらのポリタンク１１の転倒を防止できる。しかも、構造が容易で低コストであり、また誰でも簡単に使用することができる。【選択図】図１
2006298445.tif 000002
【特許請求の範囲】
【請求項１】
流体が貯液される複数の容器を並列に束ねる容器転倒防止具において、
内部空間が、所定本数の仕切り部材により、各容器を個別に収納する複数の容器収納スペースに仕切られるとともに、各容器収納スペースは、収納される容器の最大横断面積の部分の外周全域に若干の隙間が形成される大きさを有した吊り枠と、
前記仕切り部材を含む吊り枠に両端部がそれぞれ連結され、かつ前記容器収納スペースに収納された容器に上方から跨ぐように引っ掛けられることで、前記吊り枠を容器の接地面より上方の容器結束位置に吊下させる吊下部材とを備えた容器転倒防止具。
【請求項２】
前記吊り枠は、四角形に組まれた４本の枠板を有し、
前記吊下部材の両端部は、前記吊り枠のうち、前記仕切り部材の連結側とは直交する側に配置された１対の枠板の長さ方向の中間部に個別に連結されるとともに、前記吊下部材の途中部は、前記仕切り部材の長さ方向の中間部に固定されたベルトである請求項１に記載の容器転倒防止具。
【発明の詳細な説明】
【技術分野】
【０００１】
この発明は容器転倒防止具、詳しくは流体が貯液される複数の容器を例えば車両の荷台に載せて輸送するとき、各容器の転倒を防止する容器転倒防止具に関する。
【背景技術】
【０００２】
例えば灯油（流体）が貯液された複数のポリタンク（容器）を、自動車などに搭載して目的地まで運ぶとき、走行中の自動車の振動などにより、各ポリタンクが転倒する場合がある。
これを防止するため、複数のポリタンクを、互いに接近状態で着脱自在に束ねて一体化させる容器転倒防止具が開発されている。容器転倒防止具を使用することで、見かけ上、複数の容器が単体となる。その結果、複数連のポリタンクの接地面積が、１個のポリタンクの接地面積の複数倍に拡大される。その結果、各ポリタンクの安定性が高まり、各ポリタンクの転倒が防止される。
【０００３】
容器転倒防止具の一種として、特許文献１が知られている。これは、複数の容器（ポリタンクなど）が上面に並べて載置される底板部の周囲に、容器から漏れた液体の外部溢れを防止する側壁部が形成された収納部と、収納部に設けられ、この収納部の滑りを防ぐ脚部と、側壁部の部分に互いに対向して設けられるとともに、底板部上の容器を固定するベルト部と、ベルト部を底板部に取り付ける固定部とを備えている。
使用時には、例えば自動車のトランク内に特許文献１の容器転倒防止具を組み込む。次に、液体（灯油など）が入った容器を収納部の底板部に複数搭載する。それから、ベルト部を固定部に掛けることで、各容器を収納部に固定する。これにより、自動車が発進したり停止したり、道路のカーブ部分を走行するときでも、各容器がベルト部によりしっかりと収納部に固定されているため、走行（運搬）中の各容器の転倒を防止することができる。
【特許文献１】特開平８−２５３０号公報
【発明の開示】
【発明が解決しようとする課題】
【０００４】
しかしながら、特許文献１では、複数の容器がまとめて搭載される大きな底板部を有する収納部が必要であった。そのため、容器転倒防止具が大型化するとともに、高コストとなっていた。また、使用時には、収納部の底板部の上面に、液体が入った重い容器をいちいち載せたり降ろす必要があった。しかも、使用時には、ベルト部により各容器を収納部に固定したり、固定解除しなければならなかった。これにより、容器転倒防止具の使用中の取り扱い（使い方）が面倒で、各容器をベルト部により固定する際には、大きな力を要していた。そのため、成人男性に比べて非力な子供、女性および老人などは使い難かった。
【０００５】
この発明は、構造が簡単でかつ低コストで、しかも誰でも簡単に使用することができる容器転倒防止具を提供することを目的としている。
また、この発明は、振動などによる吊り枠の斜め方向への位置ずれを防止し、吊り枠による各容器の結束力を高めることができ、しかもコンパクトに収納することができる容器転倒防止具を提供することを目的としている。
【課題を解決するための手段】
【０００６】
請求項１に記載の発明は、流体が貯液される複数の容器を並列に束ねる容器転倒防止具において、内部空間が、所定本数の仕切り部材により、各容器を個別に収納する複数の容器収納スペースに仕切られるとともに、各容器収納スペースは、収納される容器の最大横断面積の部分の外周全域に若干の隙間が形成される大きさを有した吊り枠と、前記仕切り部材を含む吊り枠に両端部がそれぞれ連結され、かつ前記容器収納スペースに収納された容器に上方から跨ぐように引っ掛けられることで、前記吊り枠を容器の接地面より上方の容器結束位置に吊下させる吊下部材とを備えた容器転倒防止具である。
【０００７】
請求項１に記載の発明によれば、まず接近状態で並列配置された複数の容器の上方に、各容器に対応する容器収納スペースをそれぞれ合致させて吊り枠を配置する。次に、各容器を、対応する容器収納スペースにそれぞれ収納させながら吊り枠を降ろす。このとき、各容器収納スペースは、対応する容器の最大横断面積の部分を通過時に、その部分の外周全域に若干の隙間が形成される大きさを有している。そのため、吊り枠は、途中で容器に引っ掛かることなく、接地面より所定高さだけ離れた容器結束位置までスムーズに下降することができる。次に、吊り枠がその容器結束位置（下降位置）に達すると、吊り枠に連結された吊下部材が、容器（１個または複数個）に対して、その容器を上方から跨ぐように引っ掛けられる。こうして、吊り枠が所定の容器結束位置で停止（容器が位置決め）される。その結果、複数の容器が、吊り枠（吊下部材を含む）により一括して束ねられ、見かけ上、単体となる。
【０００８】
このように、接地面から所定高さだけ上方の容器結束位置に吊り枠が接地面と略平行（通常は略水平）に配置され、この状態で吊下部材を介して吊り枠により複数の容器が一体化される。よって見かけ上、単体となった複数（複数連）の容器の接地面積は、単独の容器の接地面積に比べて、その結束された個数分だけ複数倍に拡大される。これにより、各容器の安定性が高まり、例えば運搬中におけるこれらの容器の転倒を防止することができる。容器転倒防止具は、このように簡単な構造であるので、低コストで製造することができる。しかも、前述したように使用方法も簡易であるため、老若男女、誰でも簡単に使用することができる。
【０００９】
容器転倒防止具は、吊り枠と吊下部材とを備えている。吊り枠の内部空間は、互いに離間した所定本数の仕切り部材により、複数の容器収納スペースに仕切られている。各容器収納スペースには、対応する容器が個別に収納される。このとき、各容器収納スペースの大きさは、収納される容器の最大横断面積の部分に対して、その部分の外周全域に若干の隙間が形成される大きさとしている。
吊下部材の両端部は、吊り枠と別の吊り枠とにそれぞれ連結されるか、仕切り部材と別の仕切り部材とにそれぞれ連結されるか、吊り枠と仕切り部材とにそれぞれ連結される。吊下部材の長さは、対応する容器収納スペースに収納される容器のサイズに応じて、容器転倒防止具の使用時、吊り枠が容器結束位置に配置される長さとしている。その結果、吊下部材は、容器収納スペースに収納された容器に上方から跨ぐように引っ掛けることができ、この引っ掛け状態で吊り枠は、容器の接地面より上方の容器結束位置に配置されることになる。
【００１０】
流体としては、例えば灯油、ガソリン、水、油などの各種の液体でもよいし、穀物粉、薬剤粉、工業材料の粉粒体などの各種の粉体でもよい。さらには、穀物粒、薬剤粒、工業材料の粒などの各種の粒体でもよい。
容器転倒防止具の使用対象となる容器の種類は限定されない。収納される流体により決定される。例えば、流体が灯油やガソリンの場合にはポリタンク（例えば１８リットル用、２０リットル用）となる。各容器は、接地面に対して平行な並列状態で容器転倒防止具により束ねられる。
吊り枠の素材としては、例えば各種の金属（鉄、鋼、アルミニウム、真鍮など）、各種のプラスチック（ＡＢＳ、フッ素樹脂、ポリテレフタレート、ポリエチレン、ポリスチレン、ポリプロピレンなど）を採用することができる。その他、各種の木（杉、檜、楓、松、楠木など）、各種のセラミックスなどを採用することができる。吊り枠は剛体であり、板枠でもよいし、線状枠、帯枠などでもよい。
吊り枠の形状および大きさは、結束される複数の容器の全体（外観）形状に応じて、適宜変更される。
【００１１】
吊り枠は、容器運搬時の振動による吊り枠のずり上がりを防止可能な重さを有するように構成してもよい。これにより、容器運搬時に容器が振動しても、吊り枠が重いため、その振動を原因とした吊り枠のずり上がりを防止することができる。
吊り枠のずり上がりを防止可能な重さは、使用される容器の形状、大きさなどにより、適宜変更される。例えば、容器が１８〜２０リットル用のポリタンク（２個用）の場合には０．１〜３ｋｇである。０．１ｋｇ未満では、容器運搬時の振動により吊り枠のずり上がりが発生するおそれがある。また、３ｋｇを超えると、吊り枠が重すぎて取り扱いし難い。
【００１２】
仕切り部材の素材は、吊り枠と同じものを採用することができる。そのため、仕切り部材と吊り枠とは、一体形成してもよい。
仕切り部材の使用本数は限定されない。通常、吊り枠により結束される容器（容器収納スペース）の総数より１つ少ない本数となる。
容器収納スペースの大きさについて、収納される容器の最大横断面積の部分の外周全域に若干の隙間とは、具体的には幅数ｍｍ〜数ｃｍの隙間をいう。
吊下部材により引っ掛けられる容器の個数は、吊り枠により結束される複数の容器のうち、１つでもよいし、２つ以上でもよい（全ての容器を含む）。
【００１３】
吊下部材の素材は限定されない。例えば、各種の金属、各種のプラスチック、各種の木、各種のセラミックスなどを採用することができる。吊下部材は剛体でもよいし、湾曲自在な軟体（帯、紐、糸）でもよい。
吊下部材の使用本数は限定されない。１本でもよいし、２本以上でもよい。２本の場合には、十字状に交差配置されたものでもよい。
容器結束位置は、容器の接地面より上方で、容器の上端より下方であれば限定されない。ただし、結束（連結）された各容器の安定性を考慮すると、容器全体の高さを１としたとき、容器の下端から１／５〜１／２の高さ範囲が、各容器の安定性がより以上に高まるので好ましい。
吊り枠が吊下されるとは、吊り枠が接地面に接触せず、中空に止まっている状態（好ましくは水平状態）をいう。
【００１４】
吊下部材には、吊下部材の長さ調整具を取り付けてもよい。これにより、仮に各容器収納スペースに収納される容器のサイズが変更されても、長さ調整具により吊下部材の長さを調整することで、使用時、吊り枠を容器結束位置に配置することができる。また、この容器結束位置の高さを任意に微調整することができる。長さ調整具としては、バックル、面状ファスナ、ホックなどを採用することができる。
【００１５】
請求項２に記載の発明は、前記吊り枠は、四角形に組まれた４本の枠板を有し、前記吊下部材の両端部は、前記吊り枠のうち、前記仕切り部材の連結側とは直交する側に配置された１対の枠板の長さ方向の中間部に個別に連結されるとともに、前記吊下部材の途中部は、前記仕切り部材の長さ方向の中間部に固定されたベルトである請求項１に記載の容器転倒防止具である。
【００１６】
請求項２に記載の発明によれば、吊下部材（ベルト）が容器に対して上方から跨ぐように引っ掛けられると、吊下部材のうち、容器の引っ掛け部分を支点にして吊り枠が吊り下げられる。そのため、容器運搬時（使用時）、運搬中の振動などによって発生し易い吊り枠の斜め方向への位置ずれを防止することができる。これにより、吊り枠および吊下部材による各容器の結束力を高めることができる。吊り枠が斜め方向へ位置ずれすると、容器が吊り枠から外れ易い。しかも、吊下部材をベルトとしたので、収納時には容器転倒防止具をコンパクトに収納することができる。
【００１７】
ここでいう四角形とは正方形、長方形、菱形を含む。
吊下部材は、容器収納スペースの形成数と同数に分割された部分吊下部材から構成してもよい。その場合、各部分吊下部材の両端部は、対応する容器収納スペースを形成する枠板か仕切り部材にそれぞれ固定（連結）される。
ベルトの素材は限定されない。例えば、布帛（織布、不織布、編布など）、プラスチック、金属などを採用することができる。
【発明の効果】
【００１８】
この発明によれば、所定本数の仕切り部材を介して、内部空間が、複数の容器収納スペースに仕切られた吊り枠と、容器収納スペースに収納された容器に、上方から跨ぐように引っ掛けられることで、吊り枠を容器結束位置に吊下させる吊下部材とを備えたので、各容器の安定性が高まり、例えば運搬中のこれらの容器の転倒を防止することができる。しかも、構造が簡単で低コストであり、また誰でも簡単に使用することができる。
【００１９】
特に、請求項２に記載の発明によれば、吊下部材は各容器収納スペースを個別に跨ぐように吊り枠に取り付けたので、容器運搬時の振動などを原因とした吊り枠の斜め方向への位置ずれが発生し難くなる。そのため、吊り枠および吊下部材による各容器の結束力を高めることができる。しかも、吊下部材がベルトであるので、容器転倒防止具の収納時には容器転倒防止具をコンパクトに収納することができる。
【発明を実施するための最良の形態】
【００２０】
以下、この発明の実施例を具体的に説明する。
【実施例１】
【００２１】
図１〜図３において、１０はこの発明の実施例１に係る容器転倒防止具で、この容器転倒防止具１０は、流体が貯液される２つ（複数）のポリタンク（容器）１１を、互いに接近状態で着脱自在に結束して一体化させる器具である。これにより、見かけ上、単体となった２連ポリタンク（結束された２個のポリタンク１１）の接地面積が、１個のポリタンク１１の接地面積の２倍にまで拡大され、各ポリタンク１１の安定性が高まる。
【００２２】
以下、容器転倒防止具１０の構成を説明する。
容器転倒防止具１０は、内部空間が、１本の仕切り部材１２を介して、対応するポリタンク１１の最大横断面積の部分の外周全域に若干の隙間をあけて各ポリタンク１１をそれぞれ個別に収納する２つの容器収納スペースＳに仕切られた（区画された）吊り枠１３と、仕切り部材１２を含む吊り枠１３に両端部がそれぞれ連結され、かつ各容器収納スペースＳに収納されたポリタンク１１に対して上方から跨ぐように引っ掛けられることで、吊り枠１３をポリタンク１１の接地面より上方の容器結束位置ａに吊下させる吊下部材１４とを備えている。
【００２３】
次に、これらの部品を詳細に説明する。ポリタンク１１は、ＸＹＺ方向のうち、Ｚ方向（高さ方向）が長い略直方体のポリエチレン製のタンクで、上部に灯油の出し入れ口部を有し、１．８リットルの灯油を貯液することができる。ポリタンク１１の寸法は、縦（Ｘ方向）３４ｍｍ、横（Ｙ方向）１８ｍｍ、高さ（Ｚ方向）４１ｍｍである。
吊り枠１３は、平面視して長方形（四角形）に組まれた鉄製の長さが異なる２対の枠板から構成されている。２対の枠板のうち、１対が長さ約４００ｍｍの長尺枠板１３ａ、残りが長さ約３５０ｍｍの短尺枠板１３ｂである。吊り枠１３の重さは、容器運搬時（ポリタンク運搬時）の自動車の走行振動による吊り枠１３のずり上がりを防止可能な０．５〜１．５ｋｇである。
【００２４】
長尺枠板１３ａの長さ方向の中間部間には、前記仕切り部材１２が、短尺枠板１３ｂと平行状態で横架されている。仕切り部材１２は鉄製の枠板である。仕切り部材１２の両側方に配置された１対の容器収納スペースＳは、それぞれ平面視して矩形状を有している。両容器収納スペースＳの大きさは、対応するポリタンク１１の最大横断面積の部分（具体的にはポリタンク１１の高さ方向のどの部分も同じ横断面積）の外周全域に、幅０．５〜１ｃｍ程度の隙間が形成される寸法である。
【００２５】
吊下部材１４は、ナイロン（登録商標）繊維からなる長尺な織布製のベルト（バンド）である。吊下部材１４の両端部は、短尺枠板１３ｂの長さ方向の中間部に連結されている。しかも、吊下部材１４の長さ方向の中間部は、仕切り部材１２の中間部にそれぞれ固定されている。吊下部材１４の長さは、このように構成された容器転倒防止具１０を、両ポリタンク１１に上方から装着したとき、吊り枠１３が水平状態で容器結束位置ａに吊下される長さである。ここでの容器結束位置ａは、ポリタンク１１の全体の高さを１としたとき、ポリタンク１１の下端からポリタンクの１／３の高さ位置としている。そのため、吊下部材１４の全長は７８ｃｍとしている。吊り枠１３を容器結束位置ａに配置することで、両ポリタンク１１の単体としての安定性が増加し、両ポリタンク１１の結束力が高められる。
【００２６】
次に、この発明の実施例１に係る容器転倒防止具１０の使用方法を説明する。
図１〜図３に示すように、まず軽トラックの荷台の上に、２個のポリタンク１１を若干離間（隙間は０．５〜１ｃｍ）した並列状態で積載する。次に、両ポリタンク１１の真上で、両ポリタンク１１と、これらに対応する容器収納スペースＳとをそれぞれ合致させた状態で、吊り枠１３を配置する。
【００２７】
次いで、各ポリタンク１１を対応する容器収納スペースＳにそれぞれ収納した状態で、吊り枠１３を容器結束位置ａまで降ろして行く。このとき、各容器収納スペースＳは、対応するポリタンク１１の最大横断面積の部分を通過時に、その部分の外周全域に若干の隙間が形成される大きさを有している。そのため、吊り枠１３は、途中で各ポリタンク１１に引っ掛かることなく、接地面より所定高さだけ離れた容器結束位置ａまでスムーズに下降することができる。
次に、吊り枠１３が容器結束位置ａに達すると、吊り枠（仕切り部材１２を含む）１３に連結された吊下部材１４が、両ポリタンク１１の上部のうち、平面視したポリタンク１１の長さ方向の中間部に対して、両ポリタンク１１を上方から跨ぐような状態で引っ掛かる。これにより、吊り枠１３が容器結束位置ａで水平状態で停止（容器が位置決め）する。これにより、２個のポリタンク１１が、吊り枠（吊下部材１４を含む）１３により１つに束ねられ、見かけ上、単体となる。
【００２８】
このように、見かけ上、単体となった２個（２連）のポリタンク１１の接地面積は、単独のポリタンク１１の接地面積に比べて、約２倍に拡大される。その結果、各ポリタンク１１の安定性が高まり、例えば運搬中における両ポリタンク１１の転倒を防止することができる。容器転倒防止具１０は、このように簡単な構造を有している。よって、低コストで製造することができる。しかも、前述したように容器転倒防止具１０は軽量でかつ使い方も容易であるので、非力な子供、女性、老人など、誰でも平易に使用することができる。
【００２９】
また、吊下部材１４が両ポリタンク１１に対して上方から跨ぐように引っ掛けられると、吊下部材１４のうち、両ポリタンク１１の引っ掛け部分を支点として吊り枠１３が水平に吊り下げられる。その結果、容器運搬時（使用時）、自動車の走行振動などにより発生し易い吊り枠１３の斜め方向への位置ずれなどを防止することができる。これにより、吊り枠１３および吊下部材１４による各ポリタンク１１の結束力を高めることができる。吊り枠１３が斜めに位置ずれすると、両ポリタンク１１の結束力が低下し、両ポリタンク１１が吊り枠１３から外れて転倒し易くなる。また、容器運搬時にポリタンク１１が振動しても、吊り枠１３が重いため、その振動を原因とした吊り枠１３のずり上がりを防止することができる。
【００３０】
容器転倒防止具１０を両ポリタンク１１から外す際には、吊下部材１４を握り、吊り枠１３の略水平な状態を維持して吊り枠１３を引き上げればよい。
また、容器転倒防止具１０の収納時には、吊下部材１４がベルトであるため、吊下部材１４を畳んで、容器転倒防止具１０をコンパクトに収納することができる。
【図面の簡単な説明】
【００３１】
【図１】この発明の実施例１に係る容器転倒防止具の使用状態を示す斜視図である。
【図２】この発明の実施例１に係る容器転倒防止具の平面図である。
【図３】この発明の実施例１に係る容器転倒防止具の使用開始状態または取り外しの途中状態を示す斜視図である。
【符号の説明】
【００３２】
１０  容器転倒防止具、
１１  ポリタンク（容器）、
１２  仕切り部材、
１３  吊り枠、
１３ａ  長尺枠板、
１３ｂ  短尺枠板、
１４  吊下部材、
Ｓ  容器収納スペース、
ａ  容器結束位置。
【図１】
2006298445.tif 000003
【図２】
2006298445.tif 000004
【図３】
2006298445.tif 000005